(57)【要約】      （修正有）【課題】隠しヘアエクステンションクリップを提供する。【解決手段】装着の場合に外側に露出される外ポリウレタン層１を含んでおり、外ポリウレタン層１に外層髪糸１１が設けられ、外ポリウレタン層１の裏面に内側層が設けられ、且つ外ポリウレタン層１の幅が内側層の幅よりも狭い。隠しヘアエクステンションクリップの外側に現れる外ポリウレタン層１は、内側層よりも幅が狭く、ヘアエクステンションク効果に影響を及ぼさない場合、その裸出するＰＵ面積が小さくてヘアエクステンションクリップ全体を軽薄させることにより、ヘアエクステンションクリップの重厚のヘアエクステンションク領域に起因する抜け落ちる問題、又は頭皮を傷つける問題を避けることができる。【選択図】図１
0003219178.tif 000002
【実用新案登録請求の範囲】
【請求項１】
隠しヘアエクステンションクリップであって、
装着の場合に外側に露出される外ポリウレタン層（１）を含んでおり、前記外ポリウレタン層（１）に外層髪糸（１１）が設けられ、前記外ポリウレタン層（１）の裏面に内側層が設けられ、且つ前記外ポリウレタン層（１）の幅が前記内側層の幅よりも狭いことを特徴とする隠しヘアエクステンションクリップ。
【請求項２】
前記内側層は、内層髪糸（３１）が設けられている内ポリウレタン層（３）を含むことを特徴とする請求項１に記載の隠しヘアエクステンションクリップ。
【請求項３】
前記内側層は具体的に、ポリウレタンがコーティングされている紗織物層（２）であることを特徴とする請求項１に記載の隠しヘアエクステンションクリップ。
【請求項４】
前記内側層はさらに、前記外ポリウレタン層（１）と前記内ポリウレタン層（３）との間に位置する支持層を含むことを特徴とする請求項２に記載の隠しヘアエクステンションクリップ。
【請求項５】
前記支持層は、前記内ポリウレタン層（３）と幅が同じであることを特徴とする請求項４に記載の隠しヘアエクステンションクリップ。
【請求項６】
前記支持層は具体的に、ポリウレタンがコーティングされている紗織物層（２）であることを特徴とする請求項５に記載の隠しヘアエクステンションクリップ。
【請求項７】
前記外ポリウレタン層（１）は、前記内側層と長さが同じであることを特徴とする請求項１〜請求項６の何れか一項に記載の隠しヘアエクステンションクリップ。
【請求項８】
前記外ポリウレタン層（１）の外層はさらに、マット層を有することを特徴とする請求項１〜請求項６の何れか一項に記載の隠しヘアエクステンションクリップ。
【請求項９】
前記紗織物層（２）は具体的に、布層、絹層、糸層又は不織布層であることを特徴とする請求項１〜請求項６の何れか一項に記載の隠しヘアエクステンションクリップ。
【請求項１０】
前記外ポリウレタン層（１）の幅は具体的に０．１ｃｍ〜１ｃｍであり、前記内側層の幅は具体的に０．２ｃｍ〜２ｃｍであることを特徴とする請求項７に記載の隠しヘアエクステンションクリップ。
【考案の詳細な説明】
【技術分野】
【０００１】
本考案はかつら製品の技術的分野に関し、特に隠しヘアエクステンションクリップに関する。
【背景技術】
【０００２】
かつら製品の分野には多種のヘアエクステンションク製品があり、そのうち、ビスコースＰＵ（英語名：ｐｏｌｙ  ｕｒｅｔｈａｎｅ；中国語名はポリウレタン）ヘアエクステンションクリップは、操作簡単で適用群衆広い優勢により、現在の最も流行するヘアエクステンションク製品の１つになる。しかしながら、現在のビスコースＰＵヘアエクステンションクリップにも問題があり、例えば、ヘアエクステンションクリップのヘアエクステンションク機能を実現するためのヘアエクステンションク領域のＰＵが重すぎるから、ヘアエクステンションク領域の本物の毛根がその重量を受けにくくなって頭皮を傷つけるようになりやすく、同時に、ＰＵが重厚すぎることも、ヘアエクステンションクリップが本物の髪から抜け落ちるようになりやすい。
【０００３】
従って、如何にヘアエクステンションクリップの重量を低減し、ビスコースＰＵヘアエクステンションクリップが人体を傷つけること、又は抜け落ちやすいことを避けるかということは、現在、当業者が解決する必要がある技術的課題である。
【考案の概要】
【考案が解決しようとする課題】
【０００４】
本考案は、ビスコースＰＵヘアエクステンションクリップが使用される場合、抜け落ちること、又は頭皮を傷つけることをにくくさせ、また同時に、ヘアエクステンションクリップの使用性能及び見栄えを向上することができる隠しヘアエクステンションクリップの提供を目的とする。
【課題を解決するための手段】
【０００５】
上記目的を実現するために、本考案は、装着の場合に外側に露出される外ポリウレタン層を含んでおり、前記外ポリウレタン層（１）に外層髪糸（１１）が設けられ、前記外ポリウレタン層の裏面に内側層が設けられ、且つ前記外ポリウレタン層の幅が前記内側層の幅よりも狭い隠しヘアエクステンションクリップを提供する。
【０００６】
好ましくは、前記内側層は、内層髪糸が設けられている内ポリウレタン層を含む。
【０００７】
好ましくは、前記内側層は具体的に、ポリウレタンがコーティングされている紗織物層である。
【０００８】
好ましくは、前記内側層はさらに、前記外ポリウレタン層と前記内ポリウレタン層との間に位置する支持層を含む。
【０００９】
好ましくは、前記支持層は、前記内ポリウレタン層と幅が同じである。
【００１０】
好ましくは、前記支持層は具体的に、ポリウレタンがコーティングされている紗織物層である。
【００１１】
好ましくは、前記外ポリウレタン層は、前記内側層と長さが同じである。
【００１２】
好ましくは、前記外ポリウレタン層の外側はさらに、マット層を有する。
【００１３】
好ましくは、前記紗織物層は具体的に、布層、絹層、糸層又は不織布層である。
【００１４】
上記背景技術に対して、本考案が提供する隠しヘアエクステンションクリップについて、装着の場合に外側に露出される外ポリウレタンは、その裏面に設置される内側層よりも幅が狭い。人々が本考案の提供する隠しヘアエクステンションクリップを異なる適用長さに裁断して使用する場合、狭い外ポリウレタン層は、人目が視認可能なＰＵ面積をできるだけ小さくさせることができ、それに、外ポリウレタン層に設けられる髪糸は、広い内側層を自然に覆うことができ、また、内側層の大きい面積は、当該隠しヘアエクステンションクリップのヘアエクステンションク確実性を保証可能であり、つまり、外ポリウレタン層の幅を内側層の幅よりも小さくように設置することで、ヘアエクステンションク確実性を基本的に影響を及ぼさない場合に、外ポリウレタン層をできるだけ軽薄にさせることができ、これにより、ヘアエクステンションクリップ全体の重量を低減し、ヘアエクステンションク領域が重すぎることに起因する抜け落ちる現象、又は頭皮を傷つける現象を避けることになり、また、ヘアエクステンションクリップの使用性能及び見栄えも向上させる。
【図面の簡単な説明】
【００１５】
本考案の実施例、又は従来技術における技術案をより明瞭に説明するために、以下、実施例、又は従来技術の記述に使用する必要がある図面に対して簡単に紹介し、明らかのように、下記の記述される図面はただ本考案の実施例であり、当業者にとって、創造的な労働を費やすことがない場合、提供される図面に応じて他の図面を取得することができる。
【図１】図１は、本考案の実施例が提供される第１種の具体的な実施形態の構造模式図である。
【図２】図２は、図１の平面図である。
【図３】図３は、本考案の実施例が提供される第２種の具体的な実施形態の構造模式図である。
【図４】図４は、図３の平面図である。
【図５】図５は、本考案の実施例が提供される第３種の具体的な実施形態の構造模式図である。
【図６】図６は、図５の平面図である。
【考案を実施するための形態】
【００１６】
以下、本考案の実施例における図面を結合して本考案の実施例における技術案を明瞭で完全に記述し、明らかのように、記述される実施例は本考案の一部の実施例しかないが、全ての実施例ではない。本考案における実施例に基づいて、当業者が創造的な労働を費やすことがない場合に取得される全ての他の実施例は、いずれも本考案の保護範囲に属する。
【００１７】
当業者が本考案の方案をよりよく理解するために、以下、図面及び具体的な実施形態を結合して本考案をさらに詳しく説明する。
【００１８】
図１〜図６を参照し、図１は、本考案の実施例が提供される第１種の具体的な実施形態の構造模式図であり、図２は、図１の平面図であり、図３は、本考案の実施例が提供される第２種の具体的な実施形態の構造模式図であり、図４は、図３の平面図であり、図５は、本考案の実施例が提供される第３種の具体的な実施形態の構造模式図であり、図６は、図５の平面図である。
【００１９】
本考案が提供される隠しヘアエクステンションクリップはおもに、装着の場合に外側に露出されるものであり、且つ外層髪糸が設けられる外ポリウレタン層１を含み、外ポリウレタン層１の裏面に内側層が設けられ、且つ幅が内側層の幅よりも小さい。
【００２０】
外ポリウレタン層１は内側層よりも幅が小さく、外ポリウレタン層１内に固定される外側髪糸１１が、内側層を平らに覆って不可見にさせることができ、同時に、狭い外ポリウレタン層１は、ヘアエクステンションクリップ内の外側髪糸１１を人体自身の頭髪とより密接に混合させて外ポリウレタン層１からできるだけ小さく露出させることもでき、言い換えると、装着の場合、当該隠しヘアエクステンションクリップの外ポリウレタン層１の面積が小さいから、外ポリウレタン層をできるだけ軽薄にさせ、これにより、ヘアエクステンションクリップ全体の重量を低減し、ヘアエクステンションク領域が重すぎることに起因する抜け落ちる現象、又は頭皮を傷つける現象を避けることになり、これと同時に、人目に現れることができるＰＵ部分の面積が小さくなるから、その隠れ性がよりよくなり、より美しく使用される。
【００２１】
上記隠しヘアエクステンションクリップ及び内側層の具体的な構造について、本文は下記のいくつかの実施形態を与える。
【００２２】
第１種の具体的な実施形態は、明細書の図面１、図面２に示すように、内側層は支持層及び内ポリウレタン層３を含み、つまり、当該隠しヘアエクステンションクリップは、外ポリウレタン層１、支持層及び内ポリウレタン層３との三層構造を有し、外ポリウレタン層に外層髪糸１１が設けられ、内ポリウレタン層に内層髪糸３１が設けられる。
【００２３】
そのうち、外ポリウレタン層１は、支持層、内ポリウレタン層３よりも幅が小さく、支持層、内ポリウレタン層３と長さが等しく、本文には、外ポリウレタン層１の幅方向は図面１における上下方向を指し、外ポリウレタン層１の長さ方向は図面１における左右方向を指す。
【００２４】
一般的に、外ポリウレタン層１の幅は、０．１ｃｍ〜１ｃｍに設置可能であり、相応する支持層、内ポリウレタン層３の幅は、０．２ｃｍ〜２ｃｍに設置可能である。具体的には、外ポリウレタン層１の幅が０．１ｃｍである場合、その裏面に設置される内ポリウレタン層３の幅は０．２ｃｍであり、或いは、外ポリウレタン層１の幅が０．２ｃｍである場合、その裏面に設置される内ポリウレタン層３の幅は０．４ｃｍ±０．１ｃｍである。実際には、メーカーの要求に応じて幅差異が異なるヘアエクステンションクリップを設定可能である。しかし、どの幅シリーズを採用しても、当該ヘアエクステンションクリップの外ポリウレタン層１はいつも内ポリウレタン層３よりも狭い。
【００２５】
当該隠しヘアエクステンションクリップが人体に装着される場合、外ポリウレタン層１は、その幅が狭くて面積が小さいから、外ポリウレタン層及び全ヘアエクステンションクリップの重量をさらに低減し、ことにより、ヘアエクステンションクリップは軽薄で通気性あり、抜け落ちること、及び人体を傷つけることをしにくい。
【００２６】
図２に示すように、一般的には、各々の層の厚さについて確実な要求がなく、内、外ポリウレタン層１のポリウレタンゲルが、その内に設置され且つ数量が適合な髪糸に対して強固で確実に接続することを保証すればよい。
【００２７】
内側層の奥側にはしばしば装着工具が設けられており、実際に選択される方式の異なりに応じて、その装着工具は支持層に設置されて良いが、内ポリウレタン層３に設置されても良い。例えば、クリップで装着する場合、クリップを内ポリウレタン層３の奥側に貼着し設置されて良く、つまり、ポリウレタンゲルでクリップを固定したあとに乾燥させて固定接続を形成し、支持層の周囲がクリップのクリップ背を被覆したあとに、さらに固定してもよい。
【００２８】
当該隠しヘアエクステンションクリップの接続方法は様々あり、例えば、スクレーパ及びポリウレタン接着剤を使用することであり、具体的に、整理された髪糸をポリウレタンゲルで固定するとともに、スクレーパによって両者の表面を平らとなるように刮ぎ、さらに、整理された内ポリウレタン層３、外ポリウレタン層３をポリウレタンゲルで支持層上に固定し、乾燥箱に入れられた髪糸、ポリウレタンゲル及び支持層が全体に凝縮されるまでに乾燥させる。
【００２９】
上記支持層の材料は多種あり、通常には、布、絹、糸、不織布等の材料あり、例えば、支持層は、ポリウレタン接着剤を含有する紗織層２であってよく、そのうち、紗織層２は不織布を当該層ポリウレタン接着剤のベースとし、不織布は良い透気性を有し且つ材質が軽いから、当該ヘアエクステンションクリップの装着の場合、より軽薄、快適になることができる。
【００３０】
外ポリウレタン層１の外側にマット層を設置することは、上記隠しヘアエクステンションクリップの隠れ性をさらに向上可能であり、例えば、外ポリウレタン層１の外側にマット接着剤を塗布してマット層を形成する。ポリウレタンゲルが凝縮後に一定の反射性を有し、光線が照射される場合により容易に顕現するから、マット接着剤を塗布して乾燥箱に置いて乾燥させることで、外ポリウレタン層１の外表面の反射性を明らかに低下させられ、これにより、光線条件での隠れ性能を向上する。当然ながら、外ポリウレタン層１のマット性能について、マット接着剤の塗布によって実現できる以外に、反射性の低下が実現できる他の処理方式は、いずれも本出願に記載のマット層の設置の方式とすることができる。
【００３１】
第２種の具体的な実施形態：
図３及び図４を参照し、第２つの実施形態において、当該隠しヘアエクステンションクリップは、装着の場合に外側に露出され、外層髪糸１１が設けられている外ポリウレタン層１と、外ポリウレタン層１の裏面に設けられ且つ内層髪糸３１が設けられている内ポリウレタン層３とを含み、外ポリウレタン層１は内ポリウレタン層３よりも幅が狭く、実施例一と比較すると、当該実施形態には支持層を含まない。実施例一により分かるように、内ポリウレタン層３は、内側髪糸３１が含有されてヘアエクステンションク目的を実現可能であると同時に、さらに装着工具の固定作用を奏することができる。支持層を取り消すことは、ヘアエクステンションクリップの重量を低減可能であると同時に、更にヘアエクステンションクリップの加工ステップを減少してコストを低下することができ、後のポリウレタンゲルだけで装着工具の固定が実現できる製品について、支持層を取り除くことも、支持層が外界に現れる可能性をさらに避けることができ、これにより、当該ヘアエクステンションクリップの隠れ性を向上する。
【００３２】
上記隠しヘアエクステンションクリップにおいて、外ポリウレタン層１と内ポリウレタン層３とがポリウレタンゲルによって固定されるとともに、固定後のヘアエクステンションクリップを乾燥箱に置いて乾燥させ、これにより、外ポリウレタン層１と内ポリウレタン層３とを分離できない全体に形成させる。
【００３３】
外ポリウレタン層１を内ポリウレタン層３に固定する場合、できるだけ外ポリウレタン層１を根元部に近づけて且つ固定されていない外側髪糸１１を内ポリウレタン層３の外側に均一的に粘着することをさせることにより、内ポリウレタン層３のＰＵ部分が外部に現れることを避ける。同時に、外ポリウレタン層１と内ポリウレタン層３との髪糸の含量の割合を一層向上することがさらにできるので、外側髪糸は内ポリウレタン層３を密集に覆うことができる。
【００３４】
第３種の具体的な実施形態：
明細書の図面５、図面６に示すように、第３つの実施形態は第２つの実施例を基礎とし、その内ポリウレタン層３を、ポリウレタンを含有する紗織物層２に変更することにより、当該隠しヘアエクステンションクリップについて、加工ステップが簡単化されると同時に、多種の装着方式も有させる。
【００３５】
実施例二について、支持層を取り消すことは、ヘアエクステンションクリップのヘアエクステンションク機能に影響を及ぼさないにも関わらず、装着を実現するための方式も減少され、よって、当該実施例において、取り消すのは内ポリウレタン層３であり、つまり、本実施例では、隠しヘアエクステンションクリップは、装着の場合に外側に露出される、外層髪糸１１が設けられている外ポリウレタン層１と、ポリウレタンを含有する紗織物層２とを含む。当該実施形態において、紗織物層２は、ヘアエクステンションクリップのヘアエクステンションク領域外形の支持作用を奏することができる同時に、ポリウレタンを含有するから、多種の装着方式も実現でき、具体的に、紗織物及び／又はポリウレタンによって装着工具を接続する。このような方式で形成されたヘアエクステンションクリップについて、その軽薄の特性は、ヘアエクステンションクリップが抜け落ちやすい問題、及び頭皮を傷つける問題が解決でき、異なる群衆の要求を満たして適用範囲を拡大することもできる。
【００３６】
以上、本考案が提供される隠しヘアエクステンションクリップに対して詳しく紹介した。本文は具体的な例を適用して本考案の原理及び実施形態を論述し、以上の実施例の説明は、本考案の方法及びその核心的な考えへの理解に助けとなるためだけである。指摘すべきように、当業者にとって、本考案の原理を逸脱しない場合、本考案に対して若干の改善、修飾を行うことがさらにでき、これらの改善、修飾も本考案の請求項の保護範囲内に入る。
【図１】
0003219178.tif 000003
【図２】
0003219178.tif 000004
【図３】
0003219178.tif 000005
【図４】
0003219178.tif 000006
【図５】
0003219178.tif 000007
【図６】
0003219178.tif 000008
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
隠しヘアエクステンションクリップであって、
装着の場合に外側に露出される外ポリウレタン層（１）を含んでおり、前記外ポリウレタン層（１）に外層髪糸（１１）が設けられ、前記外ポリウレタン層（１）の裏面に内側層が設けられ、且つ前記外ポリウレタン層（１）の幅が前記内側層の幅よりも狭いことを特徴とする隠しヘアエクステンションクリップ。
【請求項２】
前記内側層は、内層髪糸（３１）が設けられている内ポリウレタン層（３）を含むことを特徴とする請求項１に記載の隠しヘアエクステンションクリップ。
【請求項３】
前記内側層は具体的に、ポリウレタンがコーティングされている紗織物層（２）であることを特徴とする請求項１に記載の隠しヘアエクステンションクリップ。
【請求項４】
前記内側層はさらに、前記外ポリウレタン層（１）と前記内ポリウレタン層（３）との間に位置する支持層を含むことを特徴とする請求項２に記載の隠しヘアエクステンションクリップ。
【請求項５】
前記支持層は、前記内ポリウレタン層（３）と幅が同じであることを特徴とする請求項４に記載の隠しヘアエクステンションクリップ。
【請求項６】
前記支持層は具体的に、ポリウレタンがコーティングされている紗織物層（２）であることを特徴とする請求項５に記載の隠しヘアエクステンションクリップ。
【請求項７】
前記外ポリウレタン層（１）は、前記内側層と長さが同じであることを特徴とする請求項１〜請求項６の何れか一項に記載の隠しヘアエクステンションクリップ。
【請求項８】
前記外ポリウレタン層（１）の外層はさらに、マット層を有することを特徴とする請求項１〜請求項６の何れか一項に記載の隠しヘアエクステンションクリップ。
【請求項９】
前記紗織物層（２）は具体的に、布層、絹層、糸層又は不織布層であることを特徴とする請求項３又は請求項６に記載の隠しヘアエクステンションクリップ。
【請求項１０】
前記外ポリウレタン層（１）の幅は具体的に０．１ｃｍ〜１ｃｍであり、前記内側層の幅は具体的に０．２ｃｍ〜２ｃｍであることを特徴とする請求項７に記載の隠しヘアエクステンションクリップ。